(57)【要約】【課題】注出口付四方シールの内袋を外函内に容易に投入出来るとともに外函強度を補強し、かつ外函内での揺動を抑えることでピンホール等の損傷を防ぎ、内容物の漏れや変質を防止する。さらに使用後の内容物残量を極力少なくするとともに、廃棄容積を容易に縮減できる内袋収蔵容器を提供する。【解決手段】外函と、外函の内寸と同寸の直方体形状に成型され外函内に収納される内袋部材とからなる内袋収蔵容器であって、前記内袋部材が、２枚のシート材を重ね合わせ各シート材の周縁部を熱接着して形成され、一方の面の中央上部に注出具を取り付けた注出具付き四方シール袋と、該四方シール袋の表裏外面の上下方向中央部を横断するように貼り付けられる２枚の枠体とからなり、前記枠体は上下方向に延びる２本の折罫により連設された左翼板と中央板と右翼板とを有し、前記折罫で折り曲げることにより上部に注出具を有する直方体形状に成型される。【選択図】　　　　図５
2004099110.tif 000002
【特許請求の範囲】
【請求項１】
外函と、外函の内寸と同寸の直方体形状に成型され外函内に収納される内袋部材とからなる内袋収蔵容器であって、前記内袋部材が、２枚のシート材を重ね合わせ各シート材の周縁部を熱接着して形成され、一方の面の中央上部に注出具を取り付けた注出具付き四方シール袋と、該四方シール袋の表裏外面の上下方向中央部を横断するように貼り付けられる２枚の枠体とからなり、前記枠体は上下方向に延びる２本の折罫により連設された右翼板と中央板と左翼板とを有し、前記折罫で折り曲げることにより上部に注出具を有する直方体形状に成型されることを特徴とする内袋収蔵容器。
【請求項２】
前記枠体のうち一方の枠体は左右翼板の幅が、直方体形状に成型された状態の奥行き寸法の半分に四方シール袋のシール部幅もしくはシール部幅を含む外縁幅を加えた寸法であり、他方の枠体は左右翼板の幅が、直方体形状に成型された状態の奥行き寸法の半分から四方シール袋のシール部幅もしくはシール部幅を含む外縁幅を減じた寸法であることを特徴とする請求項１記載の内袋収蔵容器。
【請求項３】
前記枠体が積層厚紙あるいは段ボールで形成されたことを特徴とする請求項１あるいは２記載の内袋収蔵容器。
【発明の詳細な説明】
【０００１】
【発明の属する技術分野】
本発明は、内袋を備えた直方体形状または立方体形状の板紙製容器に係り、特に大容量の液体等流動物質を収納するのに適した内袋収蔵容器に関するものである。
【０００２】
【従来の技術】
従来、各種の液体を収納するための簡便な容器として、金属容器やガラス瓶あるいは樹脂製容器に替えて内袋付箱型容器（一般にバッグインボックスと呼ばれる）が使用されている。すなわち、外装紙製容器に樹脂フィルム製内袋あるいは薄肉の樹脂製成形容器を収め、必要に応じて一部に注出口を取り付けたものである。
【０００３】
樹脂フィルム製内袋を外装紙製容器に収める形式では、人手による投入あるいはホッパー（漏斗状投入機構）等を用いた投入が行なわれていたが、人手による投入では内袋に無用な屈折や変形を生じることでピンホールが発生し、内容物の漏れや変質の原因となることがあった。また外装紙製容器内壁への密着度が不完全で、内袋各隅部の収納状態が一定しないことから、内容物排出が完全に行なえず、残量が一定しないという欠点が有った。またホッパー等の特別の機構を用いても、前記の問題が解消されなかった。
【０００４】
また、内袋に替わる薄肉の樹脂製成形容器を使用する場合、投入状態は安定するものの、外装紙製容器内壁に密着させることは不可能であり、容器全体として大きく設計する必要があった。さらに樹脂製成形容器の搬送・保管にあたっては、過大な包装容積となるため、輸送および保管コスト等経済性に問題があった。
【０００５】
上記の問題を解決するものとして、外箱の内寸とほぼ同寸の箱状に組み上がる形状をした板紙を内袋の外側に貼り合わせて内袋部材を形成し、該内袋部材を箱状に起こして外箱に装入した発明が開示されている。当該発明によれば内袋が板紙によって外箱の内面に沿った状態で固定されることになり、輸送中に内袋が動いてピンホールが発生するようなことがないという強度の高いものになるとともに、使用後における内容物の残量を極力少なくすることができる効果を有している。内容をさらに詳しく述べれば、内袋部材は次のようにして作成されるものである。すなわち、扁平筒状をした樹脂製の内袋と、展開形状に打ち抜いた１枚乃至２枚の板紙とを貼り合わせて作成され、前記扁平筒状をした内袋は、予め注出口を取り付けるとともに上下をヒートシールして閉じるようにしてもよいとされている。また前記展開形状に打ち抜いた１枚乃至２枚の板紙は、外箱の内寸とほぼ同寸をした直方体の箱状に組み上がる形状のもので、胴部を形成する側板と、それぞれ対向する天板と底板を有しており、別の実施例では内袋における耳部分に沿った三角板を延設したものも表されている。しかしながら、大型の液体用紙製容器では、内容物容積および重量に耐えるよう内袋に四方シール袋を用いることが一般的に行なわれており、四方シール袋はその外縁天地左右に帯状シール部もしくはシール部を含む外縁を有した形状の内袋となる。このため上記発明を用いた場合、１枚の板紙タイプでは、袋の立体化寸法より大きな展開寸法の板紙構成となり内袋部材が正しい大きさには起立しないし、また２枚の板紙タイプでは左右のシール部もしくはシール部を含む外縁を噛み込み、擦れによるピンホール発生のおそれが有った（例えば、特許文献１参照。）。
【０００６】
【特許文献１】
特開平７−２２３６３３号公報
【０００７】
また他の従来技術として、各端部を密封されかつ一端に分配オリフイスをもつ一定の長さの薄い平たい管状の熱可塑性材料体と、折りたたみうる矩形状のベースとベースの両側に蝶番状に接続された二枚の側壁と、前記ベースの他の両側に蝶番状に接続された折りたたみうる延長部と、前記ベースの二つの側部に沿って延びるように形成された折りたたみうるフラップとで成る保護ケーシングを有する容器の発明が開示されている。管状の材料体は保護ケーシングの側壁に対して二つの端部の近くで固定され、側壁の間で平板状に折りたたむことができると共に、保護ケーシングが矩形断面のボディを形成するようにし、管状の材料体が拡開して容器が組み上がるもので、不使用時は平板状態で搬送でき、使用時は簡単かつ迅速に組立てることができる容器である。しかしながら、前述のように大型の液体用紙製容器では、内容物容積および重量に耐えるよう内袋に四方シール袋を用いることが一般的で、四方シール袋はその外縁天地左右に帯状シール部もしくはシール部を含む外縁を有した形状となる。このため上記発明を用いた場合、内袋部材の底部寸法に比べて矩形のベース寸法が長大な設計となり、正確に拡開しないし、また側部のフラップによって四方シール袋の左右のシール部もしくはシール部を含む外縁を噛み込み、擦れによるピンホール発生のおそれが有った。
さらに、上記発明では、管状の材料体の固定部分が側壁に対して二つの端部の近くとされているため、側部のフラップは自動的に折りたたまれるものではなく、かつ三角形状のポケットの形状に折りたたまれるベースの延長部とともに、別途の組み立て作業を要するという欠点が有った（例えば、特許文献２参照。）。
【０００８】
【特許文献２】
特公昭４２−２５２６２号公報
【０００９】
【発明が解決しようとする課題】
そこで、本発明は、上記問題を解決するためになしたものであって、内袋を備えた直方体形状または立方体形状の板紙製容器に係り、特に大容量の液体等流動物質を収納するのに適した内袋収蔵容器に関するもので、四方シールの内袋を外函内に容易に装入出来るとともに外函強度を補強し、かつ外函内での揺動を抑えることでピンホール等の損傷を防ぎ、内容物の漏れや変質を防止する。さらに使用後の内容物残量を極力少なくするとともに、廃棄容積を容易に縮減できる内袋収蔵容器を提供する。
【００１０】
【課題を解決するための手段】
上記課題を解決するため、請求項１の発明は、外函と、外函の内寸と同寸の直方体形状に成型され外函内に収納される内袋部材とからなる内袋収蔵容器であって、前記内袋部材が、２枚のシート材を重ね合わせ各シート材の周縁部を熱接着して形成され、一方の面の中央上部に注出具を取り付けた注出具付き四方シール袋と、該四方シール袋の表裏外面の上下方向中央部を横断するように貼り付けられる２枚の枠体とからなり、前記枠体は上下方向に延びる２本の折罫により連設された右翼板と中央板と左翼板とを有し、前記折罫で折り曲げることにより上部に注出具を有する直方体形状に成型されることを特徴とする内袋収蔵容器で、特に大容量の液体等流動物質を収蔵するのに適し、注出口付四方シール袋を外函内に容易に装入出来、かつ外函内での揺動を抑えることでピンホール等の損傷を防ぎ、内容物の漏れや変質を防止し、さらに外函の内壁に密着させることで使用後の内容物残量を極力少なくするとともに、廃棄容積を容易に減縮できる内袋収蔵容器を提供する。
【００１１】
また、請求項２の発明は、前記枠体のうち一方の枠体は左右翼板の幅が、直方体形状に成型された状態の奥行き寸法の半分に四方シール袋のシール部幅もしくはシール部幅を含む外縁幅を加えた寸法であり、他方の枠体は左右翼板の幅が、直方体形状に成型された状態の奥行き寸法の半分から四方シール袋のシール部幅もしくはシール部幅を含む外縁幅を減じた寸法であることを特徴とする請求項１記載の内袋収蔵容器であって、枠体による注出口付四方シール袋のシール幅部分の噛み込みを無くすことにより、外函への装着をさらに容易とするとともに、擦れによるピンホール発生を防ぎ、内容物の漏れや変質を防止する。
【００１２】
また、請求項３の発明は、前記枠体が積層厚紙あるいは段ボールで形成されたことを特徴とする請求項１あるいは２記載の内袋収蔵容器で、外函胴部を補強することで積み上げによる座屈等の外函の破損を防ぎ、総合的に得られる強度面から、外函に使用される板紙等材料の斤量を減縮することも可能となるので、経済性にも優れた内袋収蔵容器を提供する。
【００１３】
【発明の実施の形態】
上記の本発明について、図面等を用いて以下に詳述する。
図１は本発明にかかる内袋収蔵容器の実施形態の、外函の展開平面図である。図２は内袋部材を構成する各部材を示すもので（Ａ）は注出口付四方シール袋を注出口が取り付けられた面から見た平面図。（Ｂ）は注出口付四方シール袋の一方の面に貼り付けられる枠体Ａの展開平面図。（Ｃ）は同じく他方の面に貼り付けられる枠体Ａ´の展開平面図である。図３（Ａ）は注出口付四方シール袋の一方の面に枠体Ａを貼り付けた状態を示す平面図、（Ｂ）は同じく他方の面に枠体Ａ´を貼り付けた状態を示す平面図である。図４は枠体ＡおよびＡ´を起立させ注出口付四方シール袋を立体化させた状態を示す斜視図である。図５は内袋部材の投入途中の状態を示す斜視図である。図６は内袋収蔵容器の組み立て完了状態を示す斜視図である。
【００１４】
図１は本発明にかかる内袋収蔵容器の実施形態の、外函の展開平面図で、縦折線を介して連設される側板１１、前板１２、側板１３、後板１４、および貼着片１５で構成され、側板１１と貼着片１５とを貼着接合してなる胴部と、前記側板１１、前板１２、側板１３、後板１４のそれぞれ下端延長上には、横折線を介して耳片１６、底板１７、耳片１８、重合底板１９が連設されるとともに、上端延長上には、横折線を介して耳片２０、重合天板２１、耳片２２、天板２３が連設されている。さらに該天板２３の上端中央には横折線を介して差し込み片２４が連設されるとともに、前記前板１２と重合天板２１との間の横折線中央には差し込み溝２５が穿設されている。注出口を露出させるため、前記天板２３および重合天板２１の所定位置には注出口通過孔２６および２７が穿設されるとともに、前記耳片２０および２２には切欠２８および２９が設けられている。なお、外函の構造はこれに限定されるものではない。
【００１５】
図２は内袋部材を構成する各部材を示すもので、（Ａ）は、あらかじめ袋の片面に超音波シール等で樹脂製の注出口５を取り付け、外縁四方を熱接着してヒートシール部６とした注出口付四方シール袋Ｂである。（Ｂ）は、前記注出口付四方シール袋Ｂの一方の面に貼り付けられる枠体Ａの展開平面図で、前記外函Ｄの前板１２より略小なる中央板１と該中央板１の両側に縦折線Ｌ１、Ｌ１´を介して右翼板２ａ、左翼板２ｂを設けたものであって、前記右翼板２ａ、左翼板２ｂのそれぞれの幅寸法は、外函Ｄの内寸の、奥行き寸法の半分の幅寸法に前記注出口付四方シール袋Ｂのシール部幅もしくはシール部幅を含む外縁寸法を加えた寸法である。（Ｃ）は、同じく前記注出口付四方シール袋Ｂの他方の面に貼り付けられる枠体Ａ´の展開平面図で、前記外函Ｄの後板１４より略小なる中央板３と該中央板３の両側に縦折線Ｌ２、Ｌ２´を介して右翼板４ａ、左翼板４ｂを設けたものであって、前記右翼板４ａ、左翼板４ｂのそれぞれの幅寸法は、外函Ｄの内寸の、奥行き寸法の半分の幅寸法から前記注出口付四方シール袋Ｂのシール部幅もしくはシール部幅を含む外縁寸法を減じた寸法である。
【００１６】
次に、図３（Ａ）に示すように、前記注出口付四方シール袋Ｂの、一方の面の上下方向中央部を横断するように前記枠体Ａを貼り付けるとともに、図３（Ｂ）に示すように、他方の面の上下方向中央部に前記枠体Ａ´を、前記枠体Ａと対称位置に貼り付けて、内袋部材Ｃを作成する。なお前記枠体ＡおよびＡ´を前記注出口付四方シール袋Ｂに貼り付けるには、枠体ＡおよびＡ´全面を貼り付けてもよいが、少なくとも枠体ＡおよびＡ´の上下端縁近傍を接着剤あるいはホットメルト剤等で貼着すればよい。
【００１７】
前記注出口付四方シール袋Ｂは内容物の種類に応じて適宜の層構成を持つ樹脂フィルムが使用できる。また四方シール袋の特徴として、容量の大きな袋が必要な場合や強度が要求される場合あるいは特別な保護物性を要求される場合、二重袋あるいは三重袋とすることも可能である。また前記注出口５は、あらかじめ四方シール袋の所定位置に打ち抜かれた孔部分に、内側から樹脂製注出口部材を超音波シール等により取り付けたもので、樹脂の種類に関しては内容物の物性や袋の樹脂フィルムとのシール適性を考慮して適宜選定するものである。
【００１８】
次に、前記内袋部材Ｃを直方体形状に起立させ、前記注出口付四方シール袋Ｂの天底二個所ずつ形成される耳部分はそれぞれ天面および底面方向へ折り曲げられ、図４に示すように立体化される。なお、このとき前記枠体ＡおよびＡ´は、それぞれの縦折線Ｌ１、Ｌ１´およびＬ２、Ｌ２´で折り曲げられコ字状となるとともに、それぞれの側端部で突き合わされる。また四方シール袋Ｂには空気が流入し、前記枠体ＡおよびＡ´の全面あるいは上下端縁近傍を貼着されていることで、該コ枠体ＡおよびＡ´が形成する直方体形状に立体化するものである。
【００１９】
次に、図５に示すように、縦折線を用いて側板１１、前板１２、側板１３、後板１４で構成される胴部を筒状に起函し、次に横折線を用いて耳片１６および１８、重合底板１９、底板１７の順に折り曲げ貼着接合して底部を閉じた外函Ｄに前記内袋部材Ｃを装入する。次に横折線を用いて耳片２０および２２、重合天板２１を折り曲げた後、天板２３を折り曲げながら差し込み片２４を差し込み溝２５に差し込んで組み立てを完了し、注出口５から内容物を充填した後、適宜な注出口キャップ７を螺合または嵌合して完成品状態となる。
【００２０】
使用に関しては、前記注出口５からの内容物注出により行うが、内袋部材Ｃが外函Ｄの内面に沿った状態で装入固定されているので、内容物残量を極めて少なくすることができるものである。また、使用後は外函Ｄから内袋部材Ｃが簡単に外すことができ、容易に扁平な状態となし得るので、廃棄物容積を減縮することができる。
【００２１】
前述した内袋収蔵容器において、外函の外寸、注出口のサイズ及び取付位置等を既存の金属容器あるいは樹脂製容器と同じにしておけば、使用していた充填機を利用して内容物充填を行うことができ、充填工程に新規コストをかけることなく、紙製容器に代替することができる。
【００２２】
【発明の効果】
以上のように本発明の内袋収蔵容器は、それぞれ独立した枠体を表裏外面に貼り付け、外函胴部内寸とほぼ同寸に組み上がる注出口付四方シール袋が、前記外函に収蔵されることとしたので、特に大容量の液体等流動物質を収蔵するのに際し、直方体形状に立体化した内袋部材を外函内に容易に装入出来、かつ外函内での揺動を抑えることでピンホール等の損傷を防ぎ、内容物の漏れや変質を防止し、さらに外函の内壁に密着させることで使用後の内容物残量を極力少なくすることができる。また、廃棄時には、内袋部材が外函から簡単に取り出せ、容易に扁平とすることができるので、廃棄物容積が減縮できるし、内袋を部材から剥離して分別廃棄することも可能である。
【００２３】
また、一方の枠体の、左右翼板の幅寸法が前記注出口付四方シール袋のシール部もしくはシール部を含む外縁を加えた幅寸法で形成され、他方の幅寸法が前記注出口付四方シール袋のシール部もしくはシール部を含む外縁を減じた幅寸法で形成されることで、枠体による注出口付四方シール袋のシール幅部分の噛み込みを無くし、外函への装着をさらに容易とするとともに、擦れによるピンホール発生を防ぎ、内容物の漏れや変質を防止することができる。
【００２４】
さらに、枠体を積層厚紙あるいは段ボールとすることにより、外函胴部を補強することで積み上げによる座屈等の外函の破損を防ぎ、総合的に得られる強度面から、外函に使用される板紙等材料の斤量を減縮することも可能となるので、経済性にも優れた効果を有する。
【図面の簡単な説明】
【図１】本発明にかかる内袋収蔵容器の実施形態の、外函の展開平面図である。
【図２】同じく内袋部材を構成する各部材を示すもので（Ａ）は注出口付四方シール袋を注出口が取り付けられた面から見た平面図。（Ｂ）は注出口付四方シール袋の一方の面に貼り付けられる枠体Ａの展開平面図。（Ｃ）は同じく他方の面に貼り付けられる枠体Ａ´の展開平面図である。
【図３】（Ａ）は注出口付四方シール袋の一方の面に枠体Ａを貼り付けた状態を示す平面図、（Ｂ）は同じく他方の面に枠体Ａ´を貼り付けた状態を示す平面図である。
【図４】枠体ＡおよびＡ´を起立させ注出口付四方シール袋を立体化させた状態を示す斜視図である。
【図５】内袋部材の投入途中の状態を示す斜視図である。
【図６】内袋収蔵容器の組み立て完了状態を示す斜視図である。
【符号の説明】
Ａ、Ａ´　　　　　　枠体
Ｂ　　　　　　　　　注出口付四方シール袋
Ｃ　　　　　　　　　内袋部材
Ｄ　　　　　　　　　外函
１　　　　　　　　　中央板
２ａ　　　　　　　　右翼板
２ｂ　　　　　　　　左翼板
３　　　　　　　　　中央板
４ａ　　　　　　　　右翼板
４ｂ　　　　　　　　左翼板
Ｌ１〜Ｌ２´　　　　縦折線
５　　　　　　　　　注出口
６　　　　　　　　　ヒートシール部
７　　　　　　　　　注出口キャップ
１１　　　　　　　　　側板
１２　　　　　　　　　前板
１３　　　　　　　　　側板
１４　　　　　　　　　後板
１５　　　　　　　　　貼着片
１６　　　　　　　　　耳片
１７　　　　　　　　　底板
１８　　　　　　　　　耳片
１９　　　　　　　　　重合底板
２０　　　　　　　　　耳片
２１　　　　　　　　　重合天板
２２　　　　　　　　　耳片
２３　　　　　　　　　天板
２４　　　　　　　　　差し込み片
２５　　　　　　　　　差し込み溝
２６、２７　　　　　　注出口通過孔
２８、２９　　　　　　切欠
【図１】
2004099110.tif 000003
【図２】
2004099110.tif 000004
【図３】
2004099110.tif 000005
【図４】
2004099110.tif 000006
【図５】
2004099110.tif 000007
【図６】
2004099110.tif 000008